Podtech/llm-jp-corpus-v4-ja_patent huggingface dataset:
(57)【要約】【課題】従来の柱は森林を伐採し木材とし加工をして使用していたので地球環境に対し悪い影響を及ぼしていた問題があった。これは、二酸化炭素を酸素に変える森林が無くなっているために起きていた現象である。【解決手段】柱として適する土１ｋｇに対しセメント系固化剤３００ｇの割合で用意した１の工程からその材料同士を調合し、２の工程となる次に調合を終えた材料に水を加え練り混ぜた３の工程を経てあらかじめ用意しておいた型枠（パイブ内臓構造）に練り混ぜられた材料を流し込み４の工程となる。型のままで乾燥をする５の工程を経て強度が増進された後に型枠を取り外して完成品となる工程６である。【選択図】図２
2010001647.tif 000002
【特許請求の範囲】
【請求項１】
土１ｋｇに対しセメント系固化材３００ｇの割合で調合し、水を加え練り混ぜたものを、型枠内にパイプを１本以上設置した型枠の中に流し込み、乾燥後型枠を取り外して完成品となることを特徴とする柱の製造方法。
【請求項２】
請求項１記載の製造方法の工程において、型枠内に設置した中心部のパイプの内側を空洞としたことを特徴とした請求項１記載の柱の製造方法。
【請求項３】
型枠内に設置するパイプに複数個所の開口部を設けたことを特徴とした請求項１または２いずれか１項に記載の柱の製造方法。
【請求項４】
練り混ぜた材料に顔料を混合することを特徴とした請求項１または３いずれか１項に記載の柱の製造方法。
【請求項５】
練り混ぜた材料に木酢液を混入することを特徴とした請求項１から４いずれか１項に記載の柱の製造方法。
【発明の詳細な説明】
【技術分野】
【０００１】
本発明は、森林伐採をした木材を使用しないで作る柱の製造方法に関するものである。
【背景技術】
【０００２】
通常建材用の柱は、森林を伐採し木材とした後に加工をして製造されている。
【０００３】
しかし、森林を伐採することは、二酸化炭素を酸素にかえることができないため、酸素が減少し二酸化炭素が地球上に増えることにより、地球温暖化が進み地球環境に対して害を及ぼしているという問題があった。
【０００４】
この改善策として、部分的に森林の保護や植林がおこなわれているが、完全に木材を使用せずに柱を製造することができてないのが現状である。
【特許文献１】特開２００３−０５５９６５
【発明の開示】
【発明が解決しようとする課題】
【０００５】
解決しようとする問題点は、木材を使用しない柱を提供すること、及びより自然に近い材料を使用することで森林の伐採を減らし地球環境保全につなげる、柱の製造方法を提供することである。
【課題を解決するための手段】
【０００６】
本発明は、環境に良い柱を製造するため、土１ｋｇに対してセメント系固化剤３００ｇの割合で調合し、水を加え練り混ぜたものを、あらかじめ用意しておいた型枠の内側にパイプを１本以上設置してある状態の型枠に流し込み、乾燥を経て型枠を取り外して完成品となることを最も主要な特徴とする。
【０００７】
練り混ぜた材料に、顔料を加えることで、色彩豊かな柱を提供し、木酢液を加えることで、シックハウス症の対策に効果のある柱を提供できる。
【発明の効果】
【０００８】
本発明の柱の製造方法は、森林の伐採をすることなく材木を全く使用しないため、地球温暖化防止の対策に大きく貢献ができる。
【０００９】
材料の主体が土であるため、この柱を利用した建築物も自然に近い環境を得ることができる。
【発明を実施するための最良の形態】
【００１０】
土１ｋｇに対しセメント系固化材３００ｇの割合で調合し、水を加え練り混ぜたものをあらかじめ用意しておいた型の内側にパイプを１本以上設置してある状態の型枠の中に流し込み、乾燥を経て型枠を取り外して完成品となることを特徴とする柱の製造方法を実現した。また、セメント系固化剤の割合は、３００ｇが望ましいが、これらに限定されるものではなく、２００ｇから５００ｇの範囲であっても良い。
【実施例１】
【００１１】
図１は、本発明の柱の平面図を示す。
【００１２】
図４を参照して詳細に説明する。まず始めに工程１は土１ｋｇに対してセメント系固化材３００ｇの割合で用意をする。工程２では、土とセメント系固化材を調合する。工程３において、調合した物に水を加えながら練り混ぜる。工程４では、あらかじめ用意しておいた型枠内部にパイプが設置してある状態の物に練り混ぜた物を流し込む。工程５においては、型枠のままで乾燥をする。工程６で、型から取外して完成品となる。なお、パイプの材質は、樹脂性が望ましいが金属、セラミックまたは竹等でも良い。
【００１３】
上記説明では、柱の重量が重くなる製造方法であるが、型枠内部の内側に設置したパイプの内部に打設をせずに、空洞化にすれば柱の軽量化と耐震性が図れる。また、柱同士及び梁等と結合する場合のジョイント部としても利用ができる。
【００１４】
使用するパイプの表面を凹凸加工または突起を設けることで、より練り合わせ材との結合が強くなり、柱の強度が向上する。また、パイプに複数個所の開口部を設けることで、パイプの内側と外側の練り合わせ材の結合力が増し、更に柱の強度が向上する。
【００１５】
また、２の工程で顔料を加えればカラー色豊かな柱を製造することが可能となり、美観的効果が期待でき色彩豊かな柱を提供でき、使用用途が広がる。
【００１６】
同じく、２の工程で木酢液を混入することによりシックハウス症に効果的作用が出る。
【００１７】
型枠に凹凸および、模様をつけておけば完成した柱には、その模様が描かれ美観的に優れた製品となる。
【００１８】
なお、柱の内側にパイプが設置してあるため、その空洞スペースを利用し、温水または冷水等を循環させることで、冷暖房の設備としても利用ができるものである。
【００１９】
土に変えて、コンクリート用の砂と砂利の混合材を利用することも可能である。
【産業上の利用可能性】
【００２０】
柱に限らず、天井などのボードとしても利用でき、また屋根用に瓦としても利用が可能である。さらにこれらは、工業生産が可能となるものである。
【図面の簡単な説明】
【００２１】
【図１】柱の平面図
【図２】中心のパイプを空洞とした柱の平面図
【図３】柱の正面図
【図４】柱の製造工程を示したフロー図
【符号の説明】
【００２２】
１    柱
２    練り混ぜた材料
３    内側のパイプ
４    外側のパイプ
５    空洞部
【図１】
2010001647.tif 000003
【図２】
2010001647.tif 000004
【図３】
2010001647.tif 000005
【図４】
2010001647.tif 000006
【手続補正書】
【提出日】平成20年11月4日(2008.11.4)
【手続補正１】
【補正対象書類名】特許請求の範囲
【補正対象項目名】全文
【補正方法】変更
【補正の内容】
【特許請求の範囲】
【請求項１】
型枠を利用して柱を形成する柱の製造方法において、土１ｋｇに対しセメント系固化材３００ｇの割合で調合し、水を加え練り混ぜたものを、樹脂性パイプを１本以上設置した型枠内に流し込み、中心部のパイプの内側には打設をせず空洞化したことを特徴とする柱の製造方法。
(57)【要約】      （修正有）【課題】化石燃料、ガス、石油を使わず、又、多量なＣＯ２を出さず、身近にあるもので、電気エネルギーを生産する。その副産物として：食料肉／革の生産であり人材の用途（雇用促進）／教育／経済面において良い結果を生むこと。そのエネルギーをもって砂漠の緑化にも貢献できること。【解決手段】動力となるのは動物エネルギーである。特に馬と牛、雨の多いところは水牛をつかい、発電機を回転させて電気エネルギーを生産する物である。【選択図】図１
2010001880.tif 000002
【特許請求の範囲】
【請求項１】
動力となるのは動物エネルギーである。特に馬と牛、雨の多いところは水牛をつかい、発電機を回転させて電気エネルギーを生産する物である。
【発明の詳細な説明】
【発明の詳細な説明】
【技術分野】
【０００１】化石燃料を使わない  電気発電エネルギーの生産に関する。
【背景技術】
【０００２】現に動物エネルギーは  車、ボート、船（ローマ時代には奴隷／人力で諧を漕ぐ）でつかわれてきている。幌馬車のように何頭／  何十頭の動物の引き起こす、作り出すエネルギーである。
【発明が解決しようとする課題】
【０００４】人間の場合は、声、音の合図でコントロールができ：馬、牛の場合も同様に声、音、鞭、信号合図でのコントロールでされてきた。但し複数、何十頭となるとコントロール不可能な点がでてくる為；  鞭をなるべく使わず声での指示  音  ／  音楽のリズム、その他の信号でコントロール  訓練がされる。何種類かの音楽のリズム  メロデーをもつて基礎的な休め、眠れ、食事、走れ、止まれと教え込まれる（条件反射的な作動／活動が学習される）、又，環境の昼と夜  明るく暗くと  変化を使い分けて２４時間、動物を活動させる事も可能とされる。電気は交流または直流と発電でき回転先も右左と無く、直流の場合は電圧によるが  電気自動車用、その他の動力用のバツテリーと蓄電も容易である。
【図１】
2010001880.tif 000003
【図２】
2010001880.tif 000004
【手続補正書】
【提出日】平成20年9月5日(2008.9.5)
【手続補正１】
【補正対象書類名】明細書
【補正対象項目名】全文
【補正方法】変更
【補正の内容】
【発明の詳細な説明】
【発明の詳細な説明】
【技術分野】
【０００１】化石燃料を使わない電気発電エネルギーの生産に関する、動力として動物を使用するものである。
【背景技術】
【０００２】現に動物エネルギーは車両、ボート、船（人力で諧を漕ぐ）で使われてきている。又は幌馬車のように何頭、何十頭の動物の引き起こす、作り出すエネルギーである。
【発明が解決しようとする課題】
【０００３】人間の場合は声、音の合図でコントロールができ、馬、牛の場合も同様に声、音、鞭、合図でのコントロールされてきた。但し複数、何十頭となるとコントロール不可能な点がでてくる為、音／音楽のリズム、メロデーをもって基礎的に休め、眠れ、食事、走れ、止まれと教え込まれる（条件反射的な作動で学習させる）又、環境的に昼／夜と明るく暗くと変化もって２４時間をも動物を活動させる事が可能である。
【図面の簡単な説明】
【０００４】
【図１】Ａ１、Ａ２、Ａ．．．．動力となる動物  Ｔ  トランスミッション  Ｄ  発電機（交直流）  Ｒ１、Ｒ２、Ｒ．．．．腕木  トランスミッションを使った発電装置
【図２】Ａ１、Ａ２、Ａ．．．．動力となる動物  Ｂ１、Ｂ２、Ｂ．．．．固定子（コイル、鉄芯と整流子）  Ｇ１、Ｇ２、Ｇ．．．．移動子（永久磁石／単極又は複極）  Ｔ１、Ｔ２、Ｔ．．．．手綱  Ｒ１、Ｒ２、Ｒ．．．．腕木  リンニヤ式発電装置
【図３】発電装置のイメージ図
【手続補正２】
【補正対象書類名】特許請求の範囲
【補正対象項目名】全文
【補正方法】変更
【補正の内容】
【特許請求の範囲】
【請求項１】
動力となるのは動物エネルギーである。特に馬と牛、雨の多い所は水牛をつかい、発電装置をもって電気エネルギーを生産する物である。装置にはトランスミッション式とリンニヤ式がある。
【手続補正３】
【補正対象書類名】図面
【補正対象項目名】全図
【補正方法】変更
【補正の内容】
【図１】
2010001880.tif 000005
【図２】
2010001880.tif 000006
【図３】
2010001880.tif 000007
(57)【要約】【課題】本発明は、佃煮・漬物など汁気のある食品の袋である。一度開けると、別の容器に移して保管することなく、上部ファスナーの機能と本発明の袋の底部を中に折り込むことで、安定させ、開け口を上に向けたまま保管できるものである。【手段】あらかじめ袋の両脇の下部を切り落とし中に折り込み易い形状にて作る。【選択図】図３
2010001067.tif 000002
【特許請求の範囲】
【請求項１】
佃煮・漬物などの食品の袋において、側面上部から下部（底）に向かって直線ではなく下部（底）に向かって細くした袋にすることで、食べ残した際底を中に折り込み、安定させ立てたまま保存できるビニール袋
【請求項２】
袋底面に向かって幅を短くした事によって、食べ残しの保管は、底部分を中に折り込むことで底が安定し、立てたまま上部チャックすれば、汁気のあるものでもこぼれず、冷蔵庫などに保管ができる
【請求項３】
請求項目１により、そのまま食卓に出したり、そのまま保管したりできるので、別の容器に移す手間がなくなる。
【発明の詳細な説明】
【技術分野】
【０００１】本発明は、佃煮・漬物などの袋は、一度開けると他の容器に移すか、上部を輪ゴムで止めて保管していたものだが、汁気があるものでも、こぼれることがなく立てたまま保管できるものである。
【背景技術】
【０００２】従来、汁気の多い、佃煮・漬物などに関しては、ビニールに平らに入っている。それを一度開封すると、汁気がこぼれてしまうので、別の容器に移す必要があった。
【発明の開示】
【発明が解決しようとする課題】
【０００３】汁気の多い、佃煮・漬物などある日数に渡って、食するものでありながら別の容器に移す手間があった。いろいろな佃煮・漬物があり、少しずつ色々な味を食べようとすると、保管容器が多く必要となってくる。それを解決するために買ったそのままの袋で、食べるために食卓に置いたり残ればチャックをして、そのまま冷蔵庫で保管できないものかと考えたものである。
【課題を解決するための手段】
【０００４】上部にチャックを付け、何度でも開封、密封できる様にする。底が織り込める様にあらかじめ底の左右を斜めに切り落とす。
切り落とす大きさは、袋の大きさによって、変える事ができるので、袋の大きさは問わない。
袋（縦２２．５ｃｍ×横１４ｃｍ）の場合は横（底辺）２ｃｍ×高さ（側面）４ｃｍの両側斜めに切り落とし、販売元の食品業者が食材を入れた後、底部を熱密封で閉じておく。袋の形が長方形でなく、切り落とした事で底辺が短くなっているので、中に折り込みやすくなり、折り込むことで、すわりが良くなりチャックを上にして、立てたまま保管ができる。
【発明の効果】
【０００５】本発明により、容器を必要とせず、買った袋のまま保管が可能になる。
容器を洗う水を必要とせず、手間も省ける。
【発明を実施するための最良の形態】
【０００６】以下、本発明の実施の形態を説明する。
（イ）ビニールの風袋上部（１）は、最初から閉じてあり、（２）は、切り取り線として、中の食品を食する時に、破線を切り開ける（３）のチャックは食べた後閉じることによって、食べ残しが空気に触れることなく、保存ができる。両側（７）は、底（６）から側面に向かって斜めに切り落とし（４）斜めカットしてある部分を含めて（６）を開口として袋状に閉じてある。
（ロ）底（６）は開いた状態（佃煮・漬物など商品を入れる入口）なので  販売元の食品業者がここから食品を入れる。食品が入ったら底部（６）にシーラー（熱密封）をかける。
（ハ）一度開封し、食べ残しがあれば、上のチャックを閉める。
（ニ）保存の際、（６）の部分を中に折り込む。折り込むことで、底辺が安定する。
本発明は、ビニールの底を中に折り込む事で底が安定し、すわりが良くなるので、他の容器に移す手間がなくなり、保存に便利である。
【図面の簡単な説明】
【０００７】
【図１】本発明の斜視図
【図２】本発明を活用した時の底面からみた立体図と写真
【図３】本発明の活用した立体図と写真
【符号の説明】
【０００８】（１）袋上部（２）切り取り線＝破線（３）チャック（４）袋両端切落し部分（５）切り落とし部分（６）底（７）側面合わせ部分
【図１】
2010001067.tif 000003
【図２】
2010001067.tif 000004
【図３】
2010001067.tif 000005
(57)【要約】      （修正有）【課題】発炎筒を水のある所でも発火でき、且つ、それぞれの金属製専用ケースと組み合わせることにより極めて安全に携帯でき、また水上、水中に持ち込み可能な発炎筒を提供する。【解決手段】発火装置に電熱線３とバッテリー５を用い更にエアーバック１４（ガス発生装置付浮き輪）付き金属製専用ケースを組み合わせることにより水上、水中に持ち込み可能になる。【選択図】図３
2010001001.tif 000002
【特許請求の範囲】
【請求項１】
発火装置に電熱線とバッテリーを用いた発炎筒。
【請求項２】
請求項１記載の発炎筒をエアーバック（ガス発生装置付き浮き輪）付き金属製専用ケースに取り付けることにより水上及び水中に持ち込み可能な発炎筒。
【請求項３】
請求項１記載の発炎筒を金属製専用ケースに取り付けることにより極めて安全に携帯可能な発炎筒。
【発明の詳細な説明】
【技術分野】
【０００１】本発明は発炎筒の発火装置に電熱線とバッテリーを用い更にエアーバック（ガス発生装置付き浮き輪）付き金属製専用ケースと組み合わせることにより水上及び水中に持ち込み可能な発炎筒に関するものである。
【背景技術】
【０００２】現在使用されている発炎筒の多くは発炎筒頭部の発火薬部に摺付薬紙を摺り付け発火するもので雨天時など水に濡れてしまうと発火が困難であった。
【発明の開示】
【発明が解決しようとする課題】
【０００３】従来の発炎筒は発火薬と摺付薬紙を使い発火していた為、水のある所では発火が困難であった。本発明は、発炎筒を水のある所でも発火でき、且つそれぞれの金属製専用ケースと組み合わせることにより極めて安全に携帯でき、また水上及び水中に持ち込み可能な自動発火式発炎筒を提供することである。
【課題を解決するための手段】
【０００４】本発明は発火装置に電熱線とバッテリーを用い更にエアーバック（ガス発生装置付き浮き輪）付き金属製専用ケースを組合せることにより水上及び水中に持ち込み可能になる。
【発明の効果】
【０００５】図１にある自動発火式発炎筒は金属製ケースに収められる事により完全防水が出来る為、水中、水上への持ち込みが可能になり更にエアーバックを取り付けることにより、水上で単体での発火が可能になる。
【発明を実施するための最良の形態】
【０００６】以下、本発明の実施の形態を図１〜図３に基づいて説明する。【０００７】図１にあるエアーバック付き自動発火式発炎筒を使用する場合、金属ケース（カバー、１１）より金属ケース（グリップ、１０）に取り付けられた発炎筒本体を抜き取り、安全装置解除リング（１５）を強く引くことにより発炎筒本体（１）のバッテリー（５）頭部より絶縁プレート（６）とガス開閉プレート（７）が抜き取られる。スイッチ（１３）を入れる事により発炎筒頭部の発火薬部（２）内に設置された電熱線（３）に通電され発火する。同時に発炎筒本体（１）に巻きつけられたエアーバック（１４）にガス発生装置（９）よりガスが送られ図３のように膨らみ単体で水上での発火が可能になる。エアーバック（１４）本体上部には不燃シート（１６）が貼られており発炎筒の火花によるエアー漏れを防ぐことが出来る。発炎筒ケース（１０，１１）の接合部にはオーリング（１２）を使用することにより完全防水でき水中への持ち込みが可能になる。発炎筒本体には簡易防水を施すことにより水面での使用が可能になる。【０００８】図２にある自動発火式発炎筒を使用する場合、発炎筒本体（１）より安全装置解除リング（１５）を強く引きバッテリー（５）頭部より絶縁プレート（６）を抜き取り、スイッチ（１３）を入れる事により発炎筒頭部の発火薬部（２）内に設置された電熱線（３）に通電され発火が可能になる。尚、バッテリー放電等で発火困難な場合は防水テープ（１９）を剥がしテープ内に設けられた擦付薬紙により発火可能になる。
【実施例】
【０００９】図１にあるエアーバック付き自動発火式発炎筒はマリンスポーツ等でアクシデントに遭遇した時、水上で救助を求める際、全天候で有効な小型且つ安全に携帯可能な救助要請信号機である。完全防水が可能な為、スキューバダイビング等で水中での携帯が可能である。尚、図２にある発炎筒とは違いバッテリーの放電等に対応できないため使用前の点検が不可欠である。【００１０】図２にある自動発火式発炎筒は金属ケースに収められているため極めて安全に携帯できレジャー、登山時に遭難や怪我等で救助を求める際、全天候で有効な救助要請信号機である。
【図面の簡単な説明】
【００１１】
【図１】エアーバック付き自動発火式発炎筒の断面図である。
【図２】自動発火式発炎筒断面図である。
【図３】エアーバック付き自動発火式発炎筒、使用時の断面図である。
【符号の説明】
【００１２】１      発炎筒本体
２      発火薬部
３      電熱線
４      リード線
５      バッテリー
６      絶縁プレート
７      ガス開閉プレート
８      ガス開閉装置
９      ガス発生装置
１０    金属ケース（グリップ）
１１    金属ケース（カバー）
１２    オーリング
１３    スイッチ
１４    エアーバック
１５    安全装置解除リング
１６    不燃シート
１７    安全装置解除紐
１８    摺付薬紙
１９    防水テープ
２０    バッテリーケース
【図１】
2010001001.tif 000003
【図２】
2010001001.tif 000004
【図３】
2010001001.tif 000005
(57)【要約】【課題】本発明は、ゴミ箱として使用した後、ゴミの水分を除去する道具に関するものである。生ごみは、臭気の発生源となり衛生的に処理されることが望ましいが、そのためポリ袋が使用されゴミの量が増えることとなる。本発明はこれらの問題点を解決するためのものである。【手段】中央にねじ切りした心棒を取り付けた底板を、外枠の設置しさらに水分が効率よく圧縮除去できるように、金網をのせる。そこに生ゴミを投入し、調理が終わったあと生ゴミの上から金網と上蓋を乗せ、ねじを締めて圧力をかけ水分を除去する。さらにゴミが出た場合、新たな底板をねじの上に載せ生ゴミ投入後別の上蓋とねじで圧力をかけ水分を除去する。大体の水分が除去できたところで、外枠に上枠と下枠取り付け、別の場所で保管する。【選択図】図３
2010001153.tif 000002
【特許請求の範囲】
【請求項１】
両側から金網を介して生ゴミを圧縮することで、水分を除去する道具。
【請求項２】
ゴミの量に左右されずに加圧できるねじ式。
【請求項３】
上下に枠を設けることで、ある程度脱水した後は、別の場所で保管できる道具。
【発明の詳細な説明】
【技術分野】
【０００１】  本発明は、ゴミ箱として使用した後、ゴミの水分を除去する道具に関するものである。
【背景技術】
【０００２】  通常生ゴミは、三角コーナーやそれに準じる袋状の生ゴミ入れに入れられ、自重により脱水されたあと別のゴミ箱に保管されていると考えられる。
【発明の開示】
【発明が解決しようとする課題】
【０００３】  日常生活の中で発生するゴミの中でも生ごみは、臭気の発生源となり衛生的に処理されることが望ましい。しかし、現状の一般家庭では、三角コーナーやそれに準じる袋状の生ゴミ入れに入れられ、自重により脱水されたあと、さらにポリ袋に包まれ、別のゴミ箱に保管されていると考えられる。これでは、臭気のもととなる水分は除去しきれず、また、さらにポリ袋により処理されるためゴミの量が増えることとなる。本発明はこれらの問題点を解決するためになされたものである。
【課題を解決するための手段】
【０００４】  中央にねじ切りした心棒を取り付けた底板を、外枠の設置しさらに水分が効率よく圧縮除去できるように、金網をのせる。そこに生ゴミを投入し、調理が終わったあと生ゴミの上から金網と上蓋を乗せ、ねじを締めて圧力をかけ水分を除去する。さらにゴミが出た場合、新たな底板をねじの上に載せ生ゴミ投入後別の上蓋とねじで圧力をかけ水分を除去する。大体の水分が除去できたところで、外枠に上枠と下枠取り付け、別の場所で保管する。本発明は以上の構成からなる、生ゴミの水分を可能な限り除去し、かつ臭気の発生を抑えるゴミ箱である。
【発明の効果】
【０００５】  本発明を使用することで、生ゴミに含まれる水分の除去が可能となり、それにより臭気の発生をおさえられ、また燃焼時のエネルギー効率が改善される。
【発明を実施するための最良の形態】
【０００６】  以下、本発明の実施の形態を説明する。
（イ）  上枠（１）、本体（２）、下枠（３）それぞれがねじによって取り外し可能な各パーツにわかれる構造で、本体に、ねじ切りした心棒（４）が中央に立っている水きり穴のついた底板（５）をおく。本体の下部は斜めになっているため、上から置くだけでよい。
（ロ）  底板の上に金網（６）（７）をおき、以下数字の順に（１５）まで設置する。
（ハ）  最後に上枠（１）、下枠（３）を設置する
本発明は以上の構成よりなる。
本発明を使用する場合、外枠（２）にねじ切りした心棒（４）が中央に立っている水きり穴のついた底板（５）の上に金網（６）（７）をおき、その状態で生ゴミを投入する。調理終了後、金網（８）と水切りのための勾配をつけた上蓋（９）を乗せねじ（１０）を締めて圧力をかけ生ゴミの水分を除去する。さらにゴミが出た場合、底板（１１）金網（１２）（１３）をねじの上に載せ、生ゴミ投入後、金網（１４）、水平の上蓋（１５）を乗せねじ（１６）を締めて圧力をかけ生ゴミの水分を除去する。大体の水分が除去できたところで、外枠に上枠（１）と下枠（３）を取り付け、別の場所で保管する。
【図面の簡単な説明】
【０００７】
【図１】本発明の斜視図
【図２】本発明の断面図
【図３】本発明の要部拡大の斜視図
【符号の説明】
【０００８】  （１）上枠、（２）外枠、（３）下枠、（４）心棒、（５）穴あき底板、（６）金網、（７）金網、（８）金網、（９）勾配をつけた上蓋、（１０）ねじ、（１１）穴あき底板、（１２）金網、（１３）金網、（１４）金網、（１５）水平の上蓋、（１６）ねじ
【図１】
2010001153.tif 000003
【図２】
2010001153.tif 000004
【図３】
2010001153.tif 000005
(57)【要約】      （修正有）【課題】上着の内ポケットに収納しているメガネを、上着を脱いだ際に、メガネが紛失することを防止する。【解決手段】鉄板４を埋め込んだメガネ本体５のテンプル２にマグネット３を埋め込んだクリップ１を固定し、当該テンプルとクリップで、当該テンプルに埋め込んだ鉄板とクリップのマグネットの磁気吸引により、上着のポケット等の収納部を挟むことによりメガネ本体の落下を防止する。【選択図】図２
2010078742.tif 000002
【特許請求の範囲】
【請求項１】
マグネットで吸引する鉄板を埋め込んだメガネ本体のテンプルと、当該メガネ本体のテンプルに固定されたマグネット付きクリップで、当該テンプルの鉄板とクリップのマグネットの磁気吸引により、上着ポケット等のメガネの収納物を挟みこみ、メガネの落下を防止する落下防止メガネ。
【請求項２】
マグネットで吸引する鉄板を埋め込んだメガネ本体のテンプルと、当該メガネ本体のテンプルに外付け可能とするマグネット付きクリップで、当該テンプルの鉄板とクリップのマグネットの磁気吸引により、上着ポケット等のメガネの収納物を挟みこみ、メガネの落下を防止する落下防止メガネ。
【請求項３】
前記マグネットの形状は、上着などに挟むときに引っ掛からないように、且つ抵抗なく対象物を挟み込むのに適した半球、半円柱、楕円柱の形状とした請求項１又は請求項２のメガネの落下を防止する落下防止メガネ。
【請求項４】
前記テンプルに埋め込む鉄板の形状を、マグネットの形状にあわせてマグネットとの接触面積を大きくして、上着ポケット等のメガネの収納物をより強く挟むことを可能として請求項１又は請求項２のメガネの落下を防止する落下防止メガネ。
【発明の詳細な説明】
【技術分野】
【０００１】
メガネの落下を防止する技術に関する。
【背景技術】
【０００２】
メガネを使用後、メガネを胸のポケットに収容するが、メガネを胸ポケットにいれた状態で、前屈みになったり、ジャンプすると、胸ポケットの生地が滑りやすいため、メガネが落下し紛失することがしばしば起こる。              
【発明の開示】
【発明が解決しようとする課題】
【０００３】
メガネを収納する上着の胸ポケットや内ポケット等の収納部（以後、メガネ収納部と呼ぶ）からメガネが落下するのを確実に防止する。
【課題を解決するための手段】
【０００４】
メガネ本体に一体成型または外付けするマグネット付きクリップで、メガネ本体をメガネ収納部にしっかり固定する。  
【発明の効果】
【０００５】
上着の胸ポケットに収納しているメガネを、上着を脱いだ際に紛失したり、破損したり、トイレでしゃがんだ時に便器に落としてしまうと言った不都合を防げる。    
【発明を実施するための最良の形態】
【０００６】
図１は本発明の落下防止メガネの構成で、メガネ本体５のテンプル２と、当該テンプル２に固定されたクリップ１からなる。クリップ１は、アクリル等の樹脂で成型したもので、メガネ５のテンプル２とで、上着などの収容部をクリップのバネの作用で挟める形状をしている。更に、当該クリップ１の先端に近い部分に、マグネット３を埋め込んでいる。
テンプル２には、上記、マグネット３がテンプル２に接触する部分に鉄板４が埋め込まれている。クリップ１は、メガネ収納部を、クリップ自体のテンプル２とで挟む力に加えて、クリップ１に埋め込んだマグネット３とテンプル２の鉄板が吸引することで、メガネ収納部を挟む力を増し、メガネ本体５が、収容部６から落下するのを確実に防止している。
テンプル２への鉄板４の埋め込みには、例えば、テンプル２の成型に鉄板４のスペース空けておき、鉄板４を接着剤で接着すればよい、また。マグネット３をクリップ１に埋め込むには、例えば、クリップ１に接着剤でマグネット３を貼り付ける等の方法がある。
【０００７】
図２は落下防止メガネの概観で、クリップ１は、メガネ本体５のテンプル２と一体で成型されるか、又は、クリップ１は、メガネ本体５のテンプル２にネジ、金具などで後付けしてもよい。
【０００８】
図３は落下防止メガネの装着例である。上着の胸ポケット等のメガネ収納部６を、鉄板４を埋め込んだメガネ本体５のテンプル２と、メガネ本体５のテンプル２に固定されたマグネット３付のクリップ１で挟み込むことにより、メガネ本体５の落下を防止する。
【０００９】
図４は落下防止メガネのマグネット３の形状例で、（ａ）は半円であるマグネット３ａ、（ｂ）は半球状のマグネット３ｂ、（ｃ）は楕円体のマグネット３ｃをしめす。マグネットの形状を変えることによって、上着のポケット等のメガネ収納部６を挟む強度に応じて適切なものに設定する事が出来る。
【００１０】
図５は落下防止メガネの鉄板４の形状をマグネット３の形状にあわせた場合の事例で、接合形状を接合面積を広くなるにすることによりマグネットの吸引力を高め、上着のポケット等の収納部を挟む強度を強くする事が出来る。
【産業上の利用可能性】
【００１１】
本発明のマグネット付き落下防止メガネ本体５は、樹脂等で構成されたクリップ１で上着のポケット等のメガネ収納部を挟む上に、さらに、当該収納部をクリップ１のマグネット３とテンプル２の鉄板４で強力に挟むので、上着のポケットの厚さが薄くても、メガネ本体５の落下を防止でき、コンパクトで経済的、信頼性の高い落下防止メガネを提供する。
【図面の簡単な説明】
【００１２】
【図１】落下防止メガネの構成
【図２】落下防止メガネの概観
【図３】落下防止メガネの装着例
【図４】落下防止メガネのマグネットの形状例（ａ）半円形のマグネット（ｂ）半球形のマグネット（ｃ）楕円体のマグネット
【図５】落下防止メガネの鉄板の形状例
【符号の説明】
【００１３】
１  クリップ
２  テンプル
３  マグネット
３ａ  半円形
３ｂ  半球形
３ｃ  楕円体
４  鉄板
５  メガネ本体
６  収容部
７  鉄板  （形状を変形させた鉄板）
【図１】
2010078742.tif 000003
【図２】
2010078742.tif 000004
【図３】
2010078742.tif 000005
【図４】
2010078742.tif 000006
【図５】
2010078742.tif 000007
(57)【要約】【課題】従来薪ストーブ等は燃料として未乾燥木材や針葉樹を使用すると大量の煙が発生するために、これらを燃料として使用する事が困難であった。また製材所等で排出される樹皮等は燃料として使用出来なかった。【解決手段】燃焼室容器の外側に外側容器を具備して燃焼用空気室を上下に形成し、燃焼室内可燃物の燃焼により燃焼用空気室の空気の温度を高温にして、この高温空気を煙成分を含む燃焼ガスに吹き付ける事により完全燃焼させて煙の発生を防ぐようにした可燃物燃焼器。【選択図】図１
2010078302.tif 000002
【特許請求の範囲】
【請求項１】
燃焼室壁面上部と下部に複数個の空気流入孔を設け、上記燃焼室の外側部に隙間を空けて外側容器を具備し、この隙間の上部と下部を密閉して燃焼用空気室とし、この燃焼用空気室を上下に分けるための仕切りを設けて上部燃焼用空気室と下部燃焼用空気室を構成し、このそれぞれの燃焼用空気室に空気流入量を調整して送ることの出来る空気流量調整弁を設け、ここに送風する為の送風機を具備した可燃物燃焼器。
【発明の詳細な説明】
【技術分野】
【０００１】  本発明は未乾燥状態の薪や燃やしにくい針葉樹または樹皮などを燃料に使用しても、簡単に燃焼させることの出来る燃焼器に関する。
【背景技術】
【０００２】  従来の薪ストーブ等の燃焼システムとしては、クリーンバーンと呼ばれるような外気を燃焼熱で温めて二次燃焼室に送り完全燃焼を促すものがあった。また触媒などを使って煙を除去する方法も知られている。
【発明の表示】
【発明が解決しようとする課題】
【０００３】  しかし上記のような燃焼器では燃料を投入した直後に発生する燃焼ガスに対しての酸素供給量が足りず結果として煙が発生したり、また含水率の高い燃料を投入した場合に於いては燃焼させることが出来なかった。
【課題を解決するための手段】
【０００４】  本発明は上記目的を達成するために、燃焼室内に送る空気を上部と下部に分けて上下それぞれ空気流入量を調整可能にして可燃物に熱風を噴射することにより可燃ガスを完全燃焼させて煙の発生を防ぐようにした可燃物燃焼器であり、たとえば、燃焼中に新たに燃焼室内に可燃物を投入した場合燃焼室内が高温度のため投入された可燃物から燃焼ガスが多量に発生するが、この時下部燃焼用空気流入調整弁を閉じると燃焼室下部への空気供給が止まり燃焼ガスの発生が著しく少なくなり弱火になる。この時点で上部燃焼用空気流入弁が開いていると上部燃焼用空気室で高温になった空気が燃焼室上部にだけ供給され、燃焼室下部付近で発生した燃焼ガスが燃焼室の上部に上昇した時にこの燃焼ガスを燃焼させて煙を無くすことが出来る。
【発明の効果】
【０００５】  このようにして可燃物の投入に応じて上下の空気流量を調整する事により全く煙を出さずに燃焼させる事が出来、また燃焼速度の調整も自由に行うことが出来る。
【０００６】  また初期着火の場合においては、古新聞等に火を着けて燃焼室に投入しその上から木屑の様なものを投入すると、古新聞等が燃える熱だけで燃焼用空気室の空気が高温になり、すぐに熱風が噴射されて木屑等が燃え出すために着火が非常に旱く簡単に出来る。
【実施例】
【０００７】  この燃焼器を効率良く使用するには図３に示すように燃焼器の上部に投入口１５を設けその上部に集塵器機１７を備え、その上部に排気排出用エジェクター１８を具備する事により集塵効率と燃焼効率を上げることが出来る。
【発明を実施するための最良の形態】
【０００８】  以下、添付図面に基づいて、この発明の実施の形態に係る燃焼器について詳細に説明する。燃焼室容器２の外側に、ある程度の隙間を設けて外側容器１を具備し、この隙間の上下を密閉して燃焼室容器２と外側容器１の間に燃焼用空気室を作り、この燃焼用空気室を上下に分割する為に燃焼空気室上下仕切り８を設けて上部燃焼用空気室５と下部燃焼用空気室１１を構成し、上部燃焼用空気室５から燃焼室４の上部に送風するための複数個の上部燃焼用空気流通孔３を設けまた、下部燃焼用空気室１１から燃焼室４の下部に送風するための複数個の下部燃焼用空気流通孔１０を設けて燃焼室上下それぞれに熱風を吹き付ける事の出来るような構造とし、またそのそれぞれ上下の空気の流量を調整する事のできる上部燃焼用空気流入調整弁６と下部燃焼空気流入量調整弁１２を具備して、燃焼室４内に空気を送ることの出来る送風機１３を具備した可燃物燃焼器である。
【図面の簡単な説明】
【０００９】
【図１】  本発明の立面の断面図
【図２】  図１Ａ−Ａ矢視平面図
【図３】  本発明実施例の参考図
【符号の説明】
【００１０】  １  外側容器
２  燃焼室容器
３  上部燃焼用空気流入孔
４  燃焼室
５  上部燃焼用空気室
６  上部燃焼用空気流入調整弁
７  送風空気室
８  燃焼空気室上下仕切
９  可燃物
１０  下部燃焼用空気流通孔
１１  下部燃焼用空気室
１２  下部燃焼用空気流入調整弁
１３  送風機
１４  流入空気量調整操作棒
１５  可燃物投入口
１６  飛灰取り出し口
１７  サイクロン集塵室
１８  エジェクター
１９  煙突
【図１】
2010078302.tif 000003
【図２】
2010078302.tif 000004
【図３】
2010078302.tif 000005
(57)【要約】      （修正有）【課題】雄犬に拠る失禁防止や介護犬に使用する使い捨ての失禁介護用品を提供する。【解決手段】使い捨ての吸収能の不織布をベルト型にすることにより雄犬が動く時のずれを防止し、雄犬のおちんちんの先に確実にあてる事ができ、尿漏れの防止が出来る。お腹周りにゴム入りギャザー３を付ける事により収縮性が付き立体的にお腹周りにフィットする為、長時間寝たきりの介護の必要な雄犬にも尿漏れし無い為、安心して使用で有る。使い捨ての吸収能の不織布をベルト型にすることにより吸収性や通気性が良く皮膚がかぶれにくく、皮膚が悪い雄犬にも安心して使用出来る。【選択図】図３
2010187652.tif 000002
【特許請求の範囲】
【請求項１】
雄犬に拠る失禁介護用に使用する使い捨ての吸収能の不織布をベルト型にすることで、吸収性に優れ通気性が良く尿が漏れにくい為、皮膚がかぶれやすい犬にも使用できる失禁介護用使い捨てベルト
【請求項２】
お腹周りにゴム入りギャザーを入れることにより収縮性を付け立体的になり、雄犬が動く場合や寝たきりの場合でもずれることが無くなる為、尿漏れを防ぐ。
【発明の詳細な説明】
【技術分野】
【０００１】  本発明は、雄犬に拠る失禁防止や介護犬に使用する使い捨ての失禁介護用品に関する。【０００２】  従来の雄犬による失禁用品には、布製のマナーバンドやパンツが有る
また、介護用品には介護用パンツなどに取り付けて使用するパットや紙おむつが有る【０００３】  以下、図５、図６、図７により従来の雄犬に拠る失禁防止用品又は介護用品について説明する。図においてマナーバンドやオムツパンツ（各メーカーによって商品名は異なる）は、オムツパッドやトイレシーツをその大きさに切断した物、また人間用生理用ナプキンを使用するものである。
【先行技術文献】
【特許文献】
【０００４】
【特許文献１】  実願２００３−３４２２号公報
【０００５】
【特許文献２】  得願２００４−４３４１３号公報
【非特許文献】
【０００６】
【非特許文献１】  「インターズクリニッククラブ  ２００８  Ｖｏｌ．２０秋冬号」、株式会社インターズ、２００８年、Ｖｏｌ．２０秋冬号、Ｐ．９８−０５
【０００７】
【非特許文献２】  「インターズクリニッククラブ  ２００８  Ｖｏｌ．２０秋冬号」、株式会社インターズ、２００８年、Ｖｏｌ．２０秋冬号、Ｐ．１００−０３、０４
【発明の概要】
【発明が解決しようとする課題】
【０００８】  以上に述べた従来の雄犬による失禁防止介護用品ではマナーバンドやオムツパンツでは、雄犬が動くとともに中に挟みこんだパッドがずれ外側に折れて、尿が漏れたりしてしまう為（例えば、図５、図６）、吸収性が悪く意味の無い物になる。また、吸収性の良い犬用紙おむつに関しては雄犬のおチンチンの先まで確実に安心出来る長さは無く、犬が動くと下にずれてしまう。（例えば、図７−７）その為、尿を吸収しきれず漏れてしまう。又しっぽ穴からウンチが出るためその周辺が汚れてしまう事がある。（例えば、図７−９）。【０００９】  介護が必要な雄犬は長時間寝たきりになる為、尿が横に流れ従来の製品では使用出来ない。【００１０】  布製のマナーバンドやオムツパンツでは、ずれにくくする為に収縮性が必要であり、素材が限られる。また、間にパッドなどを挟みこむ為通気性が悪く漏れやすい。その為、皮膚の弱い雄犬には不向きである。また布製の場合、汚れるたびに洗濯をする為、素材が伸びてしまい止める部分に関しては使用不可能に為ってしまう。【００１１】  本発明は、この様な従来の問題を解決しようとするものであり、尿もれの心配を無くし、皮膚の弱い雄犬にも使用出来る様に実現することを目的とするものである。
【課題を解決するための手段】
【００１２】  そして、本発明は上記の問題を解決する為に使い捨ての吸収能の不織布をベルト型にし、使用する物である。【００１３】  第２の課題解決手段は、ベルト型のお腹周りにゴム付きギャザーを入れる事により収縮性をつけ立体的にお腹周りにフィットする事により尿の漏れを防ぐ。
【発明の効果】
【００１４】  本発明の使い捨て失禁ベルトは、使い捨ての吸収能の不織布をベルト型にすることにより雄犬が動く時のずれを防止し、雄犬のおちんちんの先に確実にあてることができ尿漏れの防止が出来る。【００１５】  また、お腹周りにゴム入りギャザーを入れ収縮性を付け立体的になる事により、お腹周りにフィットし、長時間寝たきりの介護の必要な雄犬にも尿漏れしないので安心して使用できる。【００１６】  使い捨ての吸収能の不織布をベルト型にすることにより吸収性や通気性が良く皮膚がかぶれにくい為、皮膚が悪い雄犬にも安心して使用出来る。
【図面の簡単な説明】
【図１】本発明の平面図の表（外）側図
【図２】同使い捨て失禁ベルトの平面図の裏（お腹にあてる）側図
【図３】同使い捨て失禁バンドの立体図
【図４】同使い捨て失禁バンドの使用図
【図５】従来の失禁防止マナーバンドの問題実現図Ａ
【図６】従来の失禁防止マナーバンドの問題実現図Ｂ
【図７】従来のオムツパンツと紙オムツの問題実現図Ｃ
【発明を実施するための形熊】
【００１７】  以下、本発明の実施の形態を図１〜図４に基づいて説明する。
【００１８】  図においては、１は表（外側）１の粘着部分は広めにとり、ウエスト調節可能にした。２のテープ部分は１の粘着部分に張替えできるようにした。
【００１９】  裏（お腹側）３はゴム入りギャザーにすることにより、図３又は図４のように収縮性がでるため立体的にお腹周りにフィットし、尿の漏れをガードする事により尿漏れを防ぐ。
【００２０】  また、雄犬が動いても外側に折れない為、確実に尿を吸収する。
【符号の説明】
【００２１】    １  粘着部分
２  粘着部分に取り付けテープ
３  お腹周りゴム入りギャザー
４  雄犬が動く時バンドがずれる方向
５  中に挟みこんだパッドの折れる（尿が漏れる）方向
６  バンド自体に尿が染み込む場所
７  雄犬が動く時パンツがずれる方向
８  パンツ自体に尿が染み込む場所
９  シッポ穴にウンチが付く場所
【図１】
2010187652.tif 000003
【図２】
2010187652.tif 000004
【図３】
2010187652.tif 000005
【図４】
2010187652.tif 000006
【図５】
2010187652.tif 000007
【図６】
2010187652.tif 000008
【図７】
2010187652.tif 000009
(57)【要約】【課題】吸油の少ない低カロリーのパン粉は、油で揚げると食感がクリスピーになりやすかった。【解決手段】パン粉の原材料、小麦粉を強力粉に変え、大豆粉（生大豆粉）、ショートニング、ブドウ糖、食塩、イースト、イーストフード、アスコルビン酸、食物繊維は水溶性食物繊維の難消化性デキストリンとし、小麦由来加工澱粉、ＰＨ調整剤、乳化剤を混合したことにより食感がソフトになった。【選択図】なし【特許請求の範囲】
【請求項１】
強力粉、イースト、ショートニング、イーストフード、食塩、ぶどう糖、水、水溶性食物繊維の難消化性デキストリン、小麦粉由来加工澱粉、ｐＨ調整剤及び乳化剤を主成分とする原料からパン粉を製造する方法。
【発明の詳細な説明】
【技術分野】
【０００１】
本発明はパン粉の製造方法に関する。
【背景技術】
【０００２】
従来吸油の少ないパン粉の製造方法としては、原材料小麦粉（準強力粉）、大豆粉、ショートニング、ブドウ糖、食塩、イースト、イーストフード、アスコルビン酸、食物繊維又はデキストリンを混合して造った。
油で揚げた時パン粉の食感がソフトにすると食物繊維を少なく吸油性の抑制効果が十分でなく、食物繊維を多くすると油揚げした時食感が硬くなる。
又多糖類を使用すると（油を除き）低カロリーでなくなる。
【発明の概要】
【発明が解決しようとする課題】
【０００３】
従来吸油の少ないパン粉の製造方法としては、原材料小麦粉（準強力粉）、大豆粉、ショートニング、ブドウ糖、食塩、イースト、イーストフード、アスコルビン酸、食物繊維又はデキストリンを混合して造ったので、食感がクリスピーになるので食感だけ変え食感がソフトになるようにする。
【課題を解決するための手段】
【０００４】
上記目的を達成するため、本発明のソフトで吸油の少ないパン粉の原材料小麦粉を強力粉に変え、大豆粉（生大豆粉）、ショートニング、ブドウ糖、食塩、イースト、イーストフード、アスコルビン酸、食物繊維は難消化性デキストリンとし、小麦由来加工澱粉、PH調整剤を混合し生地として製造した。
【発明の効果】
【０００５】
記載のパン粉は、小麦粉を準強力粉から強力粉に変更し、更に食物繊維の配合をやめ、デキストリンを増量した。また、pＨ調整剤、加工澱粉を添加し食感を良くした。
【０００６】
本発明は食感がクリスピーだったのが、ソフトで吸油の少ないパン粉になった。
【実施例】
【０００７】
小麦粉５７．４２、大豆粉０．５７、ショートニング１．８４、デキストリン４．５９、イースト１．１５、ブドウ糖１．１５、食塩１．１５、
ＰＨ調整剤０．２６、乳化剤０．１６、イーストフード０．０６、小麦由来加工澱粉１．３８、水３０．７８、の割合で配合した。
生パン粉の吸油率測定結果
【表１】
2010187609.tif 000002
官能検査
【表２】
2010187609.tif 000003
【先行技術文献】
【特許文献】
【０００８】
【特許文献１】特開平８−２０４
(57)【要約】【課題】  本発明は、従来の焼酎の生産工程の変化を最小限にしつつ、炭酸ガスを含む焼酎を生産する方法を提供する。【解決手段】  熟成後の焼酎の原酒に対して、和水として、従来の焼酎の生産工程にあるような通常の水を使用することに代えて、炭酸水を使用する（ステップＳＴ１０）。これにより、従来の焼酎の生産工程をほとんど変更することなく、容易に炭酸ガスを含む焼酎を生産することが可能となる。このようにして、炭酸ガスを含む焼酎（スパークリング焼酎）を生成することが可能となる。このスパークリング焼酎は、瓶詰めされて（ステップＳＴ１１）、出荷される（ステップＳＴ１２）。【選択図】図１
2010187618.tif 000002
【特許請求の範囲】
【請求項１】
熟成後の焼酎の原酒に対して、和水を付加する工程に代えて、炭酸水を付加する工程により、スパークリング焼酎を生産するステップと、
前記スパークリング焼酎を密閉された空間に詰めるステップ
を含む、前記密閉された空間に詰められたスパークリング焼酎を生産する方法。
【請求項２】
前記焼酎の原酒のアルコール度数は３５度以上のものである、請求項１記載のスパークリング焼酎を生産する方法。
【発明の詳細な説明】
【技術分野】
【０００１】
本発明は、炭酸ガスを含む焼酎であるスパークリング焼酎を生産する方法に関する。
【背景技術】
【０００２】
例えば特許文献１には、焼酎に、炭酸ガスを添加させることが記載されている。
【先行技術文献】
【特許文献】
【０００３】
【特許文献１】特開平６−２５３８１１号公報
【発明の概要】
【発明が解決しようとする課題】
【０００４】
しかしながら、従来の技術では、例えば特許文献１の図１にあるように、生産された焼酎に対して、別途、直接的に炭酸ガスを添加するものであった。このような形では、従来の焼酎の生産工程に対して、新たな作業を追加することとなる。そのため、現在でも、炭酸ガスを含む焼酎は、ほとんど販売されていない状況である。
【０００５】
ゆえに、本発明は、従来の焼酎の生産工程の変化を最小限にしつつ、炭酸ガスを含む焼酎を生産する方法を提供することを目的とする。
【課題を解決するための手段】
【０００６】
請求項１に係る発明は、熟成後の焼酎の原酒に対して、和水を付加する工程に代えて、炭酸水を付加する工程により、スパークリング焼酎を生産するステップと、前記スパークリング焼酎を密閉された空間に詰めるステップを含む、前記密閉された空間に詰められたスパークリング焼酎を生産する方法である。
【０００７】
請求項２に係る発明は、請求項１記載のスパークリング焼酎を生産する方法であって、前記焼酎の原酒のアルコール度数が３５度以上のものである。
【０００８】
なお、密閉された空間に詰めることは、例えば、瓶に詰めることである。また、例えば缶やペットボトルなど、密閉され、運送や携帯に適した容器に詰めてもよい。
【発明の効果】
【０００９】
例えば特許文献１に記載されているような従来の技術では、完成した焼酎に、炭酸ガスを強制的に付加する。そのため、焼酎の原酒をも含む液体に対して、圧力・体積・温度を調整して炭酸ガスを含ませる必要がある。
【００１０】
それに対して、本願の各請求項に係る発明（以下、「本願発明」という。）によれば、従来の焼酎の生産工程において、和水に通常の水が使用されているところ、これに代えて炭酸水を使用することにより、従来の焼酎の生産工程をほとんど変更することなく、容易に、炭酸ガスを含む焼酎（スパークリング焼酎）を生産することが可能となる。さらに、炭酸水とすることにより、焼酎として生産処理を終了したものに変更を加える必要がない。さらに、焼酎の原酒は高温であるため、炭酸水による調整は容易である。このようなスパークリング焼酎は、例えば、口当たりがさっぱりとし、味覚に優れたものである。
【００１１】
さらに、請求項２に係る発明にあるように、アルコール度数が３５度以上のものを使用することにより、例えばシャンパンのようなアルコール度数の焼酎とすることができ、ストレートでも飲むこともでき、商品価値として優れたものとなる。
【図面の簡単な説明】
【００１２】
【図１】本願発明の実施例である、単式蒸留法による麦焼酎の原酒によるスパークリング焼酎の生産方法を示す図である。
【発明を実施するための形態】
【００１３】
以下、本願発明の実施例について説明する。ただし、本願発明は、記載した実施例に限定されるものではない。
【実施例】
【００１４】
図１は、本願発明の実施例である、単式蒸留法による麦焼酎の原酒によるスパークリング焼酎の生産方法を示す図である。従来の麦焼酎の生産方法とは、ステップＳＴ１０の調整工程が異なる。
【００１５】
図１において、ステップＳＴ１〜ＳＴ３は、麹菌を作成する工程である。洗米し（ステップＳＴ１）、蒸し（ステップＳＴ２）、種麹１を加えて、米麹を作る（ステップＳＴ３）。
【００１６】
続いて、この米麹に水３と酵母５を加え、タンクやカメでアルコール発酵させ、もろみを作る（一次仕込み、ステップＳＴ４）。この一次仕込み工程は、１週間程度である。
【００１７】
続いて、一次仕込み後のもろみに、水７と主原料である大麦７を加え、アルコール発酵させる（二次仕込み、ステップＳＴ５）。この二次仕込み工程は、２週間程度である。
【００１８】
続いて、アルコールが生成された二次仕込み後の発酵液を蒸留する（ステップＳＴ６）。そして、蒸留後の液体をろ過し（ステップＳＴ７）、熟成させる（ステップＳＴ８）。そして、熟成後の液体をろ過する（ステップＳＴ９）。
【００１９】
続いて、調整工程（ステップＳＴ１０）は、従来の技術では和水に通常の水を使用したものであった。それに対して、本実施例では、炭酸水を付加する。なお、ベースの焼酎（焼酎の原酒）は、アルコール度数３５度以上の原酒を活用するようにしてもよい。また、このとき、柚子や果糖などを付加するようにしてもよい。
【００２０】
続いて、瓶詰めを行い（ステップＳＴ１１）、出荷する（ステップＳＴ１２）。
【００２１】
なお、本実施例では、麦焼酎としたが、例えば、米焼酎、芋焼酎、黒糖焼酎、そば焼酎などであってもよい。また、連続蒸留法によるものであってもよい。
【００２２】
また、炭酸水を加える際に、圧力・温度・体積の少なくとも一つを制御するようにしてもよい。また、原酒のアルコール度数と炭酸水の炭酸ガスのノードの関係についても、制御するようにしてもよい。
【符号の説明】
【００２３】
１１  炭酸水
ＳＴ１０  調整工程
ＳＴ１１  瓶詰め工程
【図１】
2010187618.tif 000003